(57)【特許請求の範囲】
【請求項１】
自動テープ掛け機本体の上面に形成された直線状のテープ走行路の両端部から立設された左側アーチ部材および右側アーチ部材と、これらアーチ部材間を連結するように差し渡される水平アーチ部材とにより、前記自動テープ掛け機本体に下向きコ字状のテープ案内アーチが付設された自動テープ掛け機におけるテープ案内アーチの開閉装置であって、
前記左右アーチ部材内に構成されるテープ通路を、それぞれリンク装置により開閉する一対の開閉自在な板材に取り付け構成するととともに、これら左右アーチ部材内に構成される前記リンク装置を動力伝達手段で連結し、
前記一方のアーチ部材から伝達された駆動手段の作用により、左右のリンク装置を略同時に閉から開、または開から閉となるように構成したことを特徴とする自動テープ掛け機におけるテープ案内アーチの開閉装置。
【請求項２】
前記動力伝達手段は、中間部の支点を介して揺動自在に支持された棒状部材により構成され、その棒状部材の一端側が上方に移動した場合に、他端側が下方に移動するように構成されていることを特徴とする請求項１に記載の自動テープ掛け機におけるテープ案内アーチの開閉装置。
【発明の詳細な説明】
【技術分野】
【０００１】
本発明は、食品、薬品、文具、あるいは紙幣などを束ねるのに好適な自動テープ掛け機におけるテープ案内アーチの開閉装置に関する。
【背景技術】
【０００２】
例えば、ニンジンやキュウリなどを始めとする小型野菜、あるいは袋に分包された薬剤、ハンバーグなどの袋入りレトルト食品、さらには封筒などの文具を強く締付けない状態で複数個を一つに纏める必要が生じている。このような場合に用いられる自動テープ掛け機では、数十センチ幅のテープ又はクラフト紙が用いられている。
【０００３】
例えば、特許文献１に開示された自動テープ掛け機では、断面コ字状部材を一対用意し、これらコ字状部材の開口側を対面させて配置することによりテープ走行路を構成するとともに、これら対をなすコ字状部材間に板カムを配置し、この板カムを上下動させることにより、テープを引き戻した場合にコ字状部材間のテープ走行路を開閉可能とし、これにより、テープ案内アーチからテープを脱出させる構造となっている。また、特許文献１では、左右の板カムは、ワイヤーで接続され、このワイヤーにより連動して同時に動くように構成されている。
【０００４】
また、特許文献２に開示された自動テープ掛け機では、断面コ字状部材の開口側を対面させて配置することにより、テープ走行路を構成することは特許文献１と同様であるが、左右の側面に形成された溝カムを油圧シリンダーにより開閉するように構成されている。
【特許文献１】特許第３３５２０１７号公報
【特許文献２】特許第３６５５０９１号公報
【発明の開示】
【発明が解決しようとする課題】
【０００５】
ところで、特許文献１に開示された自動テープ掛け機では、多数のベアリングを縦に並べて配置する必要があるため、狭いスペースに多数の部品を組み込む必要があり、高価になるという問題があった。また、ワイヤーで連動させるため、耐久性に問題が生じていた。
【０００６】
また、特許文献２に開示された自動テープ掛け機では、溝形状を正確に刻む必要があり、切削部品がかなり多くなることから、製作が困難であるという問題があった。
本発明はこのような実情に鑑み、多量のベアリングやシリンダーを用いず、しかも切削部品も殆ど不要で安価に製作することができ、しかも耐久性が良好な自動テープ掛け機におけるテープ案内アーチの開閉装置を提供することを目的としている。
【課題を解決するための手段】
【０００７】
上記目的を達成するための本発明に係る自動テープ掛け機におけるテープ案内アーチの開閉装置は、
自動テープ掛け機本体の上面に形成された直線状のテープ走行路の両端部から立設された左側アーチ部材および右側アーチ部材と、これらアーチ部材間を連結するように差し渡される水平アーチ部材とにより、前記帯掛機本体に下向きコ字状のテープ案内アーチが付設された自動テープ掛け機におけるテープ案内アーチの開閉装置であって、
前記左右アーチ部材内に構成されるテープ通路を、それぞれリンク装置により開閉する一対の開閉自在な板材に取り付け構成するととともに、これら左右アーチ部材内に構成される前記リンク装置を動力伝達手段で連結し、
前記一方のアーチ部材から伝達された駆動手段の作用により、左右のリンク機構を略同時に閉から開、または開から閉となるように構成したことを特徴としている。
【０００８】
係る構成による本発明によれば、多量のベアリングやシリンダーを用いずに、しかも切削部品も殆ど必要としないので、安価に製作することができる。
また、リンク装置を採用することによりアーチの開閉時に抵抗が少なく、小さい力で開閉動作を行なうことが可能である。
【０００９】
ここで、本発明では、前記動力伝達手段は、中間部の支点を介して揺動自在に支持された棒状部材により構成され、その棒状部材の一端側が上方に移動した場合に、他端側が下方に移動するように構成されて、前記左右のリンク装置が同時に開または閉となるように構成されていることが好ましい。
【００１０】
このような構成であれば、力の伝達を揺動自在な棒状部材により行なうので、ワイヤーなどに比べて耐久性が良好となる。
【発明の効果】
【００１１】
本発明に係る自動テープ掛け機におけるテープ案内アーチの開閉装置によれば、
多量のベアリングやシリンダーを用いずに、しかも切削部品を殆ど使用しないため安価に製作することができる。また、左右のリンク装置を揺動自在な棒状部材により連結したので、ワイヤーなどに比べ耐久性が良好である。
【発明を実施するための最良の形態】
【００１２】
以下に、図面を参照しながら本発明の一実施例について説明する。
図１は本発明の一実施例によるテープ案内アーチの開閉装置を備えた自動テープ掛け機を示したものである。
【００１３】
この自動テープ掛け機７０では、自動テープ掛け機本体７２の上部に略コ字状のテープ案内アーチ７４が備えられており、このテープ案内アーチ７４内には、ループを描く一連のテープ通路７６が形成されている。
【００１４】
さらに、テープ案内アーチ７４の上部には、多量のテープが巻回されたテープリール７８が設置されている。
なお、本実施例では、テープリール７８をテープ案内アーチ７４上部に設置したが、本発明は、これに限定されず、テープリール７８を、本体７２の内側に設置することもできる。
【００１５】
一方、本体７２内には、仕切り板７５ａ、７５ｂによりバックプールボックス８０が画成されている。
このバックプールボックス８０内には、テープ案内アーチ７４から引き戻されたテープＴが一時的に収容される。
【００１６】
さらに、本体７２の上面近傍に設けられたスライドテーブル３４の下方に、テープの供給、引き戻し、溶着などの制御を行なうコントロール部８３が構成されている。このコントロール部８３には、図２に示したように、ガイドローラ９０とスライドテーブル３４との間に、正逆回転可能な駆動ローラ９４とタッチローラ８８とから構成されるテープ供給・引き戻し手段９２が具備されている。そして、テープ供給・引き戻し手段９２における正逆回転可能な駆動ローラ９４の正回転あるいは逆回転により、案内アーチ７４側にテープＴを送り出したり、あるいはバックプールボックス８０側に引戻したりすることが可能にされている。
【００１７】
自動テープ掛け機本体７２の上面に付設されるテープ案内アーチ７４は、自動テープ掛け機本体７２の左側端部から立設された左側アーチ部材２と右側端部から立設された右側アーチ部材４と、これらのアーチ部材２，４間を連結するように差し渡される水平アーチ部材６とにより、下向きコ字状に形成されている。そして、これらのアーチ部材２，４，６内にループ状のテープ走行路７６が連続して形成されている。
【００１８】
以下に、左側アーチ部材２および右側アーチ部材４の内部に形成されたテープ走行路７６の開閉機構について説明する。
なお、左側アーチ部材２と右側アーチ部材４に形成されたテープ走行路は、一部を除いて略同一に形成されているため、以下に、左側アーチ部材２を主として説明する。この左側アーチ部材２は、図３に示したように、略水平方向に離反可能な一対の板材８，１０を有している。また、板材８，１０の間には、リンク装置Ｒ１，Ｒ２の支点Ｓを支持する板体１２が上下方向に移動可能に配置されている。これら一対の板材８，１０の内面側には、それぞれ図４（Ａ），（Ｂ）に示したように、テープＴを収容するためのコ字状部を備えたＦ字形のテープ収容部材８ａ、１０ｂが取り付けられている。このようなコ字状部の内部に帯状のテープＴが収容され、このテープＴは、図４（Ａ）の状態から図４（Ｂ）に示したように、板材８，１０が互いに離反する方向に移動されたときに、テープ収容部材８ａ，１０ａからの拘束が解除され、テープＴが引き戻される方向に引き寄せられることになる。
【００１９】
なお、これら一対の板材８、１０間には、図示しない引っ張りばねが介装され、この引っ張りばねの付勢力により板材８，１０間は、常時接近する方向に力を受けている。このような引っ張りばねが板材８，１０間に介在されることにより、図３に示したリンク装置Ｒ１、Ｒ２の支点Ｓは常にｂ’方向（上方向）に移動する力を受け、板体１２が常にｂ’方向に移動する力を受けている。よって、板体１２に支持されたレバー１４には、常に矢印ａ’方向に回動する力が作用している。
【００２０】
これら一対の離反可能な板材８，１０の上部側には、水平支持部材２８が配置され、この水平支持部材２８に、縦方向支持部材３５，３７が、軸４４ａ、４４ｂにより回動自在に支持されている。
上下方向に移動可能な板体１２には、２つのリンク装置Ｒ１、Ｒ２が上下に設置され、これらのリンク装置Ｒ１，Ｒ２では、中央の回動支点Ｓを中心に、両端部が互いに接近する方向に閉じたり、互いに離反する方向に開いたりすることが可能になっている。すなわち、平板状の板体Ｐ１，Ｐ２が外方に開いたときに、これに伴って図４（Ｂ）に示したように一対の板材８，１０も開くので、テープＴの開放が可能である。また、平板状の板体Ｐ１，Ｐ２が内方に閉じたときに、これに伴って図４（Ａ）に示したように、一対の板材８，１０が互いに接近するので、テープＴの拘束、すなわちテープの供給などのテープ走行が可能とされている。
【００２１】
ここで、右側アーチ部材４と左側アーチ部材２との構成上の異なる点は、２つのリンク機構Ｒ１，Ｒ２の設置向きが異なっていることにある。すなわち、図３に示した左側アーチ部材２のリンク装置Ｒ１，Ｒ２では、それぞれ平板状の板体Ｐ１、Ｐ２が左側面の正面から見て「逆Ｖ」の字を構成するように、支点Ｓが板体Ｐ１，Ｐ２の上側に配置されているが、右側アーチ部材４のリンク機構Ｒ１，Ｒ２では、その逆になっている。すなわち、右側アーチ部材４では、平板状の板体Ｐ１，Ｐ２が右側面の正面から見て、「正Ｖ」の字を構成するように、支点Ｓが板体Ｐ１，Ｐ２の下側に配置されている。
【００２２】
このように、本実施例の左側アーチ部材２では、２つのリンク機構Ｒ１、Ｒ２の支点Ｓが上位置から下位置に移動することでテープ走行路が開くことになるが、右側アーチ部材
４では、２つのリンク機構Ｒ１，Ｒ２の支点Ｓが下位置から上位置に移動することで、テープ走行路が開くことになる。
【００２３】
さらに、これら左右のアーチ部材２、４の一対の板材８，１０間には、上下方向に移動自在な作動プレート１２が、上下方向に延出されたコ字状部材１３の内部にそれぞれ収容され、この作動プレート１２に各支点Ｓが支持されている。作動プレート１２は、図３に示したように、自動テープ掛け機本体７２内に収容された略への字状のレバー１４と、モータＭの動力により回転駆動するカム１６との当接位置にしたがって、上下動される。すなわち、レバー１４の先端部が所定のタイミングで矢印ａ-ａ’方向に移動すると、作動
プレート１２が矢印ｂ’−ｂ方向に移動する。また、作動プレート１２が矢印ｂ’−ｂ方向に移動すると、２つのリンク装置Ｒ１、Ｒ２が矢印ｃ’−ｃ方向に移動する。
【００２４】
一方、左側アーチ部材２と右側アーチ部材４とは、それらのリンク装置Ｒ１、Ｒ２が、同期して動くように構成されている。そのため、図６に示したような動力伝達手段３０が具備されている。この動力伝達手段３０は、主として棒状部材３２により構成されるもので、この棒状部材３２は、左側アーチ部材２の作動プレート１２と右側アーチ部材４の作動プレート１２に形成された孔１２ａ内に、それぞれ支持されている。また、この棒状部材３２は、長さ方向の中間位置で軸３６が支点となるように支持されている。このように軸３６が軸３６を支点として揺動自在に支持されることにより、図６において左側アーチ部材２の作動プレート１２が上方に移動すれば、これに伴って棒状部材３２の一端３２ａ側も上方に移動する。このとき右側アーチ部材４側では、棒状部材３２の他端側が下方に移動する。棒状部材３２の他端が下方に移動すれば、右側アーチ部材４側の作動プレート１２も下方に移動する。これにより、右側アーチ部材４に設けられた「正Ｖ」字状のリンク装置Ｒ１、Ｒ２の支点Ｓが押し下げられ、これにより、右側アーチ部材４内では、板体Ｐ１、Ｐ２が互いに接近する方向に移動することになる。
【００２５】
このように、本実施例では、左側アーチ部材２の作動プレート１２が上方に移動すると、右側アーチ部材４の作動プレート１２が下方に移動する。
このようにして、アーチ部材２，４内のリンク装置Ｒ１、Ｒ２は、左右で同一の動きをなすように構成されている。
【００２６】
したがって、テープ案内アーチ７４内にテープＴを供給する場合、あるいはテープ案内案内アーチ７４からテープを飛び出させる場合には、一方の左側アーチ部材２の作動プレート１２を上方あるいは下方に移動させれば良い。
【００２７】
本実施例による自動テープ掛け機におけるテープ案内アーチの開閉装置は上記のように構成されているが，以下にその作用について説明する。
今、図１および図２において、テープリール７８からテープＴが繰り出され、そのテープＴの先端部がテープ案内アーチ７４内にループ状に供給されスライドテーブル３４の下方のストッパー４０に当接している。このときテープＴは、具体的には図４（Ａ）に示したようにテープ通路７６内にあり、被梱包物Ｗには、未だ巻回されていない。一方、左側アーチ部材２および右側アーチ部材４内の一対のリンク装置Ｒ１、Ｒ２はそれぞれ閉じた状態にある。
【００２８】
この状態で図示しないスタートスイッチが押されると、その信号により図３に示したモータＭの回転駆動力によりカム１６が回転され、これに伴ってカム１６の凸部がレバー１４を矢印ａ方向に傾動する。すると、作動プレート１２が矢印ｂ方向に押し下げられる。作動プレート１２が矢印ｂ方向に押し下げられると、上下に配置されたリンク機構Ｒ１，Ｒ２の一対の板材Ｐ１、Ｐ２がそれぞれ矢印ｃ方向すなわち外方向にそれぞれ拡開し、これによりテープＴを挟持していた板材８，１０が互いに離反する方向に開くことになる。
【００２９】
また、作動プレート１２が矢印ｂ方向に押し下げられることにより、左右のアーチ部材２，４間を連結する水平アーチ部材６内の棒状部材３２における一端３２ａ側が下方に押し下げられる（図６）。これにより、棒状部材３２の他端側は、逆に上方に押し上げられることになる。これにより、右側アーチ部材４内に配置された板状部材１２も上方に押し上げられる。よって、左右のアーチ部材２，４内のリンク機構Ｒ１，Ｒ２の板材８，１０が互いに離反する方向に開くことになる。このようにして、テープＴが図４（Ｂ）に示したように、テープ通路７６から引き出し可能になる。その後、テープ供給引き戻し手段９２の正逆回転可能な駆動ローラ９４が逆回転駆動を開始し、以後のテープの引き戻し、溶着などの工程に順次移行する。
【００３０】
このようなアーチ開閉作業を行なう場合の力は小さくて良く、しかもワイヤーなどを使用していないので、長期に亘り安定した制御を行なうことができる。
なお、テープ案内アーチの開閉装置が開から閉となる動作は、所定のタイミングで図３に示したモータＭの回転駆動力によりカム１６が回転され、これに伴ってカム１６の凹部がレバー１４を矢印a'方向に傾動可能とするとともに、一対の板材８，１０間に介装された図示しない引っ張りばねの付勢力により、作動プレート１２が矢印ｂ’方向（上方向）に上昇する。これにより、一対の板材８，１０が閉となる。
【００３１】
以上、本発明の一実施例について説明したが、本発明は，上記実施例に何ら限定されない。例えば、リンク装置Ｒ１，Ｒ２は、２つに限定されず、２個以上あってもよい。
本発明によれば、従来例のようにワイヤのような部材が不要で、しかも切削を必要とする部材も少なく、さらにはベアリングなども不要であるため、安価に製作することができる。また、リンク装置により、力の伝達を行なうので、小さい力でスムーズな動きを行なわすことができる。
【図面の簡単な説明】
【００３２】
【図１】図１は本発明の一実施例に係る自動テープ掛け機の概略構成を示した正面図である。
【図２】図２は図１に示した自動テープ掛け機のテープ供給、引き戻しなどを行なうコントロール部の概略図である。
【図３】図３は、図１に示した自動テープ掛け機の左側面図である。
【図４】図４は同自動テープ掛け機におけるテープ走行を行なう左右のアーチ部材内に構成されたテープ通路を示した断面図で、図４（Ａ）はテープ走行時の断面図、図４（Ｂ）はテープを解放するときの断面図である。
【図５】図５は図１に示した自動テープ掛け機における左側アーチ部材の要部概略分解斜視図である。
【図６】図６は、同実施例による左側アーチ部材を内側から示した概略斜視図である。
【符号の説明】
【００３３】
２  左側アーチ部材
４  右側アーチ部材
６  水平アーチ部材
８  板材
８ａ  テープ収容部材
１０  板材
１０ａ  テープ収容部材
１２  作動プレート
１４  レバー
１６  カム
２８  水平支持部材
３２  棒状部材
３２ａ  一端
３４  スライドテーブル
３６  軸（支点）
３５，３７  縦方向支持部材
７０  自動テープ掛け機
７２  自動テープ掛け機本体
７４  テープ案内アーチ
７６  テープ通路
７８  テープリール
８３  コントロール部
８８  タッチローラ
９２  テープ供給引き戻し手段
９４  正逆転可能な駆動ローラ
Ｍ  モータ（駆動手段）
Ｐ１，Ｐ２  板体
Ｒ１，Ｒ２  リンク装置
Ｓ  支点
Ｔ  テープ
【図１】
0004818789.tif 000002
【図２】
0004818789.tif 000003
【図３】
0004818789.tif 000004
【図４】
0004818789.tif 000005
【図５】
0004818789.tif 000006
【図６】
0004818789.tif 000007